(57)【特許請求の範囲】
【請求項１】
液晶層、光反射層および第１位相差層を有する液晶表示パネルと、
前記液晶表示パネル上に設けられた光学積層体と
を備え、
前記光学積層体は、第２位相差層および偏光層を前記液晶表示パネル側から順に含み、
前記第１位相差層は、Ｎｚ係数が１よりも大きな２軸性λ／４層であり、
前記第２位相差層は、λ／２板であり、
前記液晶表示パネルは、黒表示時に、前記液晶層の液晶分子の長軸が前記液晶表示パネルの法線と平行またはほぼ平行な方向を向くように構成されており、
前記光学積層体は、等方性前方散乱機能を有する粘着層を更に有し、前記粘着層により第２位相差層と偏光層とを接着させる、
表示装置。
【請求項２】
表示装置を備え、
前記表示装置は、
液晶層、光反射層および第１位相差層を有する液晶表示パネルと、
前記液晶表示パネル上に設けられた光学積層体と
を有し、
前記光学積層体は、第２位相差層および偏光層を前記液晶表示パネル側から順に含み、
前記第１位相差層は、Ｎｚ係数が１よりも大きな２軸性λ／４層であり、
前記第２位相差層は、λ／２板であり、
前記液晶表示パネルは、黒表示時に、前記液晶層の液晶分子の長軸が前記液晶表示パネルの法線と平行またはほぼ平行な方向を向くように構成されており、
前記光学積層体は、等方性前方散乱機能を有する粘着層を更に有し、前記粘着層により第２位相差層と偏光層とを接着させる、
電子機器。
【請求項３】
液晶層、光反射層および第１位相差層を有する液晶表示パネルと、
前記液晶表示パネル上に設けられた光学積層体と
を備え、
前記光学積層体は、光拡散層、第２位相差層および偏光層を前記液晶表示パネル側から順に含み、
前記第１位相差層は、Ｎｚ係数が１よりも大きな２軸性λ／４層であって、前記液晶表示パネルの全域を占めており、
前記第２位相差層は、λ／２板であり、
前記液晶表示パネルは、黒表示時に、前記液晶層の液晶分子の長軸が前記液晶表示パネルの法線と平行またはほぼ平行な方向を向くように構成されている、
表示装置。
【請求項４】
液晶層および光反射層を有する液晶表示パネルと、
前記液晶表示パネル上に設けられた光学積層体と
を備え、
前記光学積層体は、第１位相差層、第２位相差層および偏光層を前記液晶表示パネル側から順に含み、
前記第１位相差層は、Ｎｚ係数が１よりも大きな２軸性λ／４板であり、
前記第２位相差層は、λ／２板であり、
前記液晶表示パネルは、黒表示時に、前記液晶層の液晶分子の長軸が前記液晶表示パネルの法線と平行またはほぼ平行な方向を向くように構成されており、
前記光学積層体は、等方性前方散乱機能を有する粘着層を更に有し、前記粘着層により、第１位相差層と第２位相差層と、又は第２位相差層と偏光層とを接着させる、
表示装置。
【請求項５】
表示装置を備え、
前記表示装置は、
液晶層および光反射層を有する液晶表示パネルと、
前記液晶表示パネル上に設けられた光学積層体と
を有し、
前記光学積層体は、第１位相差層、第２位相差層および偏光層を前記液晶表示パネル側から順に含み、
前記第１位相差層は、Ｎｚ係数が１よりも大きな２軸性λ／４板であり、
前記第２位相差層は、λ／２板であり、
前記液晶表示パネルは、黒表示時に、前記液晶層の液晶分子の長軸が前記液晶表示パネルの法線と平行またはほぼ平行な方向を向くように構成されており、
前記光学積層体は、等方性前方散乱機能を有する粘着層を更に有し、前記粘着層により、第１位相差層と第２位相差層と、又は第２位相差層と偏光層とを接着させる、
電子機器。
【発明の詳細な説明】
【技術分野】
【０００１】
本発明は、反射型、または反射部と透過部とを兼ね備えた半透過型の表示パネルを備えた表示装置に関する。また、本発明は、上記の表示装置を備えた電子機器に関する。
【背景技術】
【０００２】
近年、携帯電話や電子ペーパーなどのモバイル機器向けの表示装置の需要が高くなっており、反射型の表示装置が注目されている。反射型の表示装置は、外部からの入射光（周辺光）を反射板で反射させて表示を行うものであり、バックライトを必要としない。そのため、バックライトの分だけ消費電力が節約されるので、透過型の表示装置を用いた場合と比べて、モバイル機器の長時間駆動が可能である。また、バックライトが不要であることから、その分だけ軽量化や小型化も可能となる。
【０００３】
反射型の表示装置では、外光を利用して表示を行うために、散乱機能を持った層を表示装置内に設ける必要がある。例えば、特許文献１では、反射電極に凹凸を設けることにより、反射電極に散乱機能を付与することが開示されている。また、特許文献２では、反射電極に凹凸を設ける代わりに、前方散乱が多く後方散乱が少ない前方散乱フィルムをガラス基板の上面に設けることが開示されている。
【先行技術文献】
【特許文献】
【０００４】
【特許文献１】特許第２７７１３９２号
【特許文献２】特開平１１−２３７６２３号公報
【発明の概要】
【発明が解決しようとする課題】
【０００５】
しかし、特許文献１に記載の方法では、反射電極に凹凸を付けるためのプロセスが増え、高コストとなってしまうという問題があった。特許文献２に記載の方法は、反射電極に凹凸を付ける場合よりもプロセス数を少なくすることができる点で、特許文献１に記載の方法よりも優れている。しかし、特許文献２に記載の方法では、散乱角度範囲が全方位であるために、白表示での十分な明るさが得られず、コントラスト比が低いという問題があった。
【０００６】
本発明はかかる問題点に鑑みてなされたもので、その目的は、高コントラストを得ることの可能な表示装置およびそれを備えた電子機器を提供することにある。
【課題を解決するための手段】
【０００７】
本発明の第１の表示装置は、液晶層および光反射層を有する液晶表示パネルと、液晶表示パネル上に設けられた光学積層体とを備えたものである。光学積層体は、第１位相差層、光拡散層、第２位相差層および偏光層を液晶表示パネル側から順に含む。第１位相差層は、ネガティブＣプレートである。第２位相差層は、λ／４板、または、λ／４板およびλ／２板を前記液晶表示パネル側から順に含んだものである。本発明の第１の電子機器は、上記の第１の表示装置を備えたものである。
【０００８】
本発明の第１の表示装置および第１の電子機器では、光拡散層と液晶表示パネルとの間にネガティブＣプレートが設けられている。これにより、液晶層に入射する光の傾きに伴い、液晶層のリタデーションが変位するのに応じて、ネガティブＣプレートの位相差がそれを打ち消す方向に変位する。その結果、黒表示の際の光漏れが小さくなる。
【０００９】
本発明の第２の表示装置は、液晶層および光反射層を有する液晶表示パネルと、液晶表示パネル上に設けられた光学積層体とを備えたものである。光学積層体は、第１位相差層、光拡散層、第２位相差層および偏光層を液晶表示パネル側から順に含む。第１位相差層は、Ｎｚ係数が１よりも大きな２軸性λ／４板である。第２位相差層は、λ／２板である。本発明の第２の電子機器は、上記の第２の表示装置を備えたものである。
【００１０】
本発明の第２の表示装置および第２の電子機器では、光拡散層と液晶表示パネルとの間に２軸性λ／４板が設けられている。これにより、液晶層に入射する光の傾きに伴い、液晶層のリタデーションが変位するのに応じて、２軸性λ／４板の位相差がそれを打ち消す方向に変位する。その結果、黒表示の際の光漏れが小さくなる。
【００１１】
本発明の第３の表示装置は、液晶層、光反射層および第１位相差層を有する液晶表示パネルと、液晶表示パネル上に設けられた光学積層体とを備えたものである。光学積層体は、光拡散層、第２位相差層および偏光層を液晶表示パネル側から順に含む。第１位相差層は、ネガティブＣ層である。第２位相差層は、λ／４板、または、λ／４板およびλ／２板を前記液晶表示パネル側から順に含んだものである。本発明の第３の電子機器は、上記の第３の表示装置を備えたものである。
【００１２】
本発明の第３の表示装置および第３の電子機器では、液晶表示パネル内にネガティブＣ層が設けられている。これにより、液晶層に入射する光の傾きに伴い、液晶層のリタデーションが変位するのに応じて、ネガティブＣ層の位相差がそれを打ち消す方向に変位する。その結果、黒表示の際の光漏れが小さくなる。
【００１３】
本発明の第４の表示装置は、液晶層、光反射層および第１位相差層を有する液晶表示パネルと、液晶表示パネル上に設けられた光学積層体とを備えたものである。光学積層体は、光拡散層、第２位相差層および偏光層を液晶表示パネル側から順に含む。第１位相差層は、Ｎｚ係数が１よりも大きな２軸性λ／４層である。第２位相差層は、λ／２板である。本発明の第４の電子機器は、上記の第４の表示装置を備えたものである。
【００１４】
本発明の第４の表示装置および第４の電子機器では、液晶表示パネル内に２軸性λ／４層が設けられている。これにより、液晶層に入射する光の傾きに伴い、液晶層のリタデーションが変位するのに応じて、２軸性λ／４層の位相差がそれを打ち消す方向に変位する。その結果、黒表示の際の光漏れが小さくなる。
【発明の効果】
【００１５】
本発明の第１ないし第４の表示装置ならびに第１ないし第４の電子機器によれば、ネガティブＣプレート、２軸性λ／４板、ネガティブＣ層、または２軸性λ／４層による位相補償作用により、黒表示の際の光漏れが小さくなるようにしたので、高コントラストを得ることができる。
【図面の簡単な説明】
【００１６】
【図１】本発明の一実施の形態に係る表示装置の構成の一例を表す断面図である。
【図２】図１の光拡散板の断面構成の一例を表す図である。
【図３】図１の表示装置の第１変形例を表す断面図である。
【図４】図１の表示装置の第２変形例を表す断面図である。
【図５】図１の表示装置の第３変形例を表す断面図である。
【図６】一適用例に係る電子機器の構成の一例を表す斜視図である。
【発明を実施するための形態】
【００１７】
以下、発明を実施するための形態について、図面を参照して詳細に説明する。なお、説明は以下の順序で行う。
１．実施の形態（表示装置）
液晶表示パネル上にネガティブＣプレートが設けられている例
２．変形例（表示装置）
液晶表示パネル上に２軸性λ／４板が設けられている例
液晶表示パネル内にネガティブＣ層が設けられている例
液晶表示パネル内に２軸性λ／４層が設けられている例
３．適用例（電子機器）
上記実施の形態およびその変形例に係る表示装置が利用されている例
【００１８】
＜１．実施の形態＞
[構成]
図１は、本発明の一実施の形態に係る表示装置１の断面構成の一例を表すものである。なお、図１は模式的に表したものであり、実際の寸法、形状と同一とは限らない。表示装置１は、例えば、図１に示したように、液晶表示パネル１０と、液晶表示パネル１０上に配置された光学積層体２０と、映像信号に応じて液晶表示パネル１０を駆動する駆動回路３０とを備えている。
【００１９】
この表示装置１において、光学積層体２０の表面のうち液晶表示パネル１０とは反対側の表面が映像表示面となっており、液晶表示パネル１０の背後には、バックライトなどの光源は配置されていない。つまり、液晶表示パネル１０は、映像表示面側から入射した光を反射することにより映像を表示する反射型の表示パネルである。
【００２０】
（液晶表示パネル１０）
液晶表示パネル１０は、例えば、図１に示したように、所定の間隙を介して互いに対向するＴＦＴ（Thin Film Transistor）基板１１および対向基板１２と、ＴＦＴ基板１１と対向基板１２との間に設けられた液晶層１３とを備えている。
【００２１】
液晶層１３は、例えば、ネマティック（Nematic）液晶を含んで構成され、後述するように、駆動回路３０からの印加電圧により、液晶層に入射する光を画素ごとに透過または遮断する変調機能を有している。なお、液晶の光透過レベルを変えることにより画素ごとの階調が調整される。
【００２２】
ＴＦＴ基板１１は、例えば、ガラス基板などからなる基板上に、複数の画素電極と、画素電極ごとに設けられた画素回路とを有している。画素回路は、例えば、ＴＦＴや容量素子などを含んで構成されている。また、ＴＦＴ基板１１は、例えば、配向膜を有している。ＴＦＴ基板１１は、さらに、例えば、図１に示したように、液晶層１３側から入射した光を反射する反射層１４を有している。対向基板１２は、例えば、ガラス基板などからなる基板のＴＦＴ基板１１側の表面上に、共通電極を有している。対向基板１２は、例えば、配向膜を有している。対向基板１２は、さらに、例えば、画素電極と対向する領域にカラーフィルタを有し、画素電極と非対向の領域に遮光膜を有している。
【００２３】
ここで、ＴＦＴ基板１１内の基板は、ガラス基板以外の材料で構成されていてもよく、例えば、透光性の樹脂基板や、石英、シリコン基板などで構成されていてもよい。対向基板１２内の基板は、ガラス基板以外の透明材料で構成されていてもよく、例えば、透光性の樹脂基板や、石英などで構成されていてもよい。
【００２４】
複数の画素電極は、対向基板１２側の共通電極と共に液晶層１３を駆動するものであり、ＴＦＴ基板１１内に２次元配置されている。共通電極は、各画素電極と対向するように配置されている。画素電極および共通電極は、駆動回路３０によって電圧が印加されると、画素電極および共通電極間の電位差に応じた電界を、画素電極と共通電極の間に発生させ、その電界の大きさ応じて液晶層１３を駆動するようになっている。液晶表示パネル１０のうち、画素電極と共通電極とが互いに対向する部分に対応する部分が、画素電極および透明電極間に印加される電圧によって液晶層を部分的に駆動することの可能な最小単位となっている。この最小単位が画素に相当する。
【００２５】
反射層１４は、ＴＦＴ基板１１内の画素電極からなっていてもよいし、画素電極とは別個に設けられたものであってもよい。反射層１４が画素電極からなる場合には、画素電極は、可視光を反射する導電性材料からなり、例えば、Ａｇなどの金属材料からなる。反射層１４が画素電極とは別個に設けられている場合には、画素電極は、上記と同様に金属材料からなっていてもよいし、可視光に対して透明な導電性材料（例えば、ＩＴＯ（Indium Tin Oxide；酸化インジウムスズ））からなっていてもよい。共通電極は、可視光に対して透明な導電性材料からなり、例えば、ＩＴＯからなる。
【００２６】
配向膜は、液晶層１３内の液晶分子を所定の方向に配向させるものであり、液層層１３と直接に接している。配向膜は、例えば、ポリイミドなどの高分子材料からなり、例えば、塗布したポリイミド等に対してラビング処理を施すことにより形成されたものである。カラーフィルタは、液晶層１３を透過してきた光を、例えば、赤、緑および青の三原色にそれぞれ色分離するためのカラーフィルタを、画素に対応させて配列したものである。遮光膜は、例えば、可視光を吸収する機能を有している。遮光膜は、画素と画素の間に形成されている。
【００２７】
ところで、液晶表示パネル１０は、黒表示時に、液晶層１３の液晶分子の長軸がＴＦＴ基板１１の法線と平行またはほぼ平行な方向を向くように構成されている。液晶表示パネル１０は、例えば、ノーマリーホワイト型のＥＣＢ（electrical control birefringence；電界制御複屈折）モードの液晶セルとなっている。なお、液晶表示パネル１０は、黒表示時の液晶配向が上記のようになっていれば、どのようなモードの液晶セルであってもよく、例えば、ノーマリーブラック型のＶＡ(Vertical alignment) モードの液晶セルとなっていてもよい。
【００２８】
（光学積層体２０）
光学積層体２０は、例えば、図１に示したように、ネガティブＣプレート２１、光拡散板２２、λ／４板２３、λ／２板２４および偏光板２５を液晶表示パネル１０側から順に有している。光学積層体２０と液晶表示パネル１０とは、例えば、互いに粘着層や接着層で貼り合わされている。同様に、光学積層体２０内で互いに隣り合う部材同士が、例えば、互いに粘着層や接着層で貼り合わされている。
【００２９】
ネガティブＣプレート２１は、厚み方向に複屈折発現性の大きい光学補償フィルムであり、厚み方向に複屈折を示し面内方向に複屈折を示さない光学フィルムである。これを式で表すと以下のようになる。
ｎｘ＝ｎｙ＞ｎｚ
【００３０】
ここで、ｎｘはネガティブＣプレート２１の面内の一の方向（ｘ軸方向）の屈折率である。ｎｙはネガティブＣプレート２１の面内の他の方向（ｘ軸と直交するｙ軸方向）の屈折率である。ｎｚはネガティブＣプレート２１の法線方向（ｚ軸方向）の屈折率である。
【００３１】
厚み方向の複屈折（△ｎ）は、（ｎｘ＋ｎｙ）／２−ｎｚで表される。ネガティブＣプレート２１のリタデーションＲｔｈは、△ｎ×ｄで表される。ここで、ｄはネガティブＣプレート２１の厚さである。ネガティブＣプレート２１は、当該ネガティブＣプレート２１のリタデーションＲｔｈによって、液晶層１３によって生じるリタデーションを光学的に補償するようになっている。ここで、Ｒｔｈは、波長５５０ｎｍおよびその近傍において、例えば、１００ｎｍ前後の値となっていることが好ましい。
【００３２】
ネガティブＣプレート２１は、例えば、キャスト法、ダイコート法、スプレーコート法、スピンコート法、ロールコート法及びエアナイフコート法などによって形成可能である。
【００３３】
光拡散板２２は、前方散乱が多く後方散乱が少ない前方散乱板である。光拡散板２２は、１または複数の前方散乱板によって構成されている。光拡散板２２は、例えば、いずれの方向から光Ｌ１が入射した場合であっても、ほぼ同一の散乱角度範囲で入射光を散乱させる等方性前方散乱板である。光拡散板２２は、例えば、図２（Ａ）に示したように、基材２２Ａ内に、基材２２Ａの屈折率とは異なる屈折率のフィラー２２Ｂが添加されたものである。
【００３４】
なお、光拡散板２２は、例えば、特定方向から入射した光Ｌ２だけを散乱し、それ以外の方向からの入射した光Ｌ３を透過する異方性前方散乱板であってもよい。この場合には、光拡散板２２は、例えば、図２（Ｂ）に示したように、屈折率の互いに異なる第１領域２２Ｃおよび第２領域２２Ｄからなる。第１領域２２Ｃおよび第２領域２２Ｄは、厚さ方向に延在するとともに所定の方向に傾斜して形成されたものである。
【００３５】
λ／４板２３は、例えば、シクロオレフィンポリマー、ポリカーボネイト等からなる樹脂の一軸延伸フィルムである。そのリタデーションは、例えば、０．１４μｍであり、可視光の最も視感度が高い緑色光波長の約１／４に相当する。従って、λ／４板２３は、偏光板２５側から入射してきた直線偏光光を円偏光に変換する機能を有している。λ／２板２４は、例えば、ポリカーボネート樹脂の一軸延伸フィルムである。そのリタデーションは、例えば、０．２７μｍであり、可視光の最も視感度が高い緑色光波長の約１／２に相当する。ここで、λ／４板２３およびλ／２板２４は、これらλ／４板２３およびλ／２板２４全体として、偏光板２５側から入射してきた直線偏光光を円偏光に変換する機能を有しており、広範囲の波長に対して（広帯域の）円偏光板として機能する。
【００３６】
偏光板２５は、所定の直線偏光成分を吸収し、それ以外の偏光成分を透過する機能を有している。従って、偏光板２５は、外部から入射してきた外光を直線偏光に変換する機能を有している。偏光板２５は、例えば、ヨウ素等のハロゲン物質や二色性染料をＰＶＡ（ポリビニルアルコール）の高分子フィルムに吸着させ延伸したものを、ＴＡＣ（トリアセチルセルロース）で挟み込んだものである。
【００３７】
[作用、効果]
次に、本実施の形態の表示装置１の作用、効果について説明する。
【００３８】
本実施の形態では、例えば、特定の方向から入射してきた外光は、偏光板２５によって直線偏光に変換され、さらにλ／２板２４およびλ／４板２３によって左回り円偏光に変換されたのち、光拡散板２２およびネガティブＣプレート２１を透過して、液晶表示パネル１０に入射する。液晶表示パネル１０に入射した光は、液晶層１３で映像信号に応じて変調されるとともに、反射層１４で反射され、再びネガティブＣプレート２１を透過したのち、光拡散板２２に入射する。光拡散板２２に入射した光は、光拡散板２２で所定の角度範囲に拡散されたのち、λ／２板２４およびλ／４板２３によって直線偏光に変換され、偏光板２５を透過して外部に射出される。
【００３９】
ところで、本実施の形態では、光拡散板２２と液晶表示パネル１０との間に、ネガティブＣプレート２１が配置されている。これにより、ネガティブＣプレート２１による位相補償作用により、黒表示の際の光漏れが小さくなる。その結果、高コントラストを得ることができる。
【００４０】
本実施の形態において、ネガティブＣプレート２１による位相補償が有効に働くためには、液晶表示パネル１０が、黒表示時に、液晶層１３の液晶分子の長軸がＴＦＴ基板１１の法線と平行またはほぼ平行な方向を向くように構成されていればよい。つまり、ネガティブＣプレート２１による位相補償を、様々なモードの液晶セルで有効に作用させることができる。従って、様々なモードで高コントラストを得ることができる。
【００４１】
＜２．変形例＞
（第１変形例）
上記実施の形態において、例えば、図３に示したように、λ／４板２３およびネガティブＣプレート２１が省略され、その代わりに、ネガティブＣプレート２１の位置に、２軸性λ／４板２６が設けられていてもよい。２軸性λ／４板２６は、Ｎｚ係数が１よりも大きなλ／４板であり、例えば、２軸延伸λ／４板である。２軸延伸λ／４板は、例えば、位相差のない樹脂フィルムを１軸方向に延伸してλ／４板を作成したのち、それを先とは異なる方向に延伸することにより作成可能である。２軸性λ／４板２６は、ネガティブＣプレート２１と同様の光学補償作用を有している。
【００４２】
本変形例では、光拡散板２２と液晶表示パネル１０との間に、２軸性λ／４板２６が配置されている。これにより、２軸性λ／４板２６による位相補償作用により、黒表示の際の光漏れが小さくなる。その結果、高コントラストを得ることができる。
【００４３】
また、本変形例においても、２軸性λ／４板２６による位相補償が有効に働くためには、液晶表示パネル１０が、黒表示時に、液晶層１３の液晶分子の長軸がＴＦＴ基板１１の法線と平行またはほぼ平行な方向を向くように構成されていればよい。つまり、２軸性λ／４板２６による位相補償を、様々なモードの液晶セルで有効に作用させることができる。従って、様々なモードで高コントラストを得ることができる。
【００４４】
（第２変形例）
上記実施の形態において、ネガティブＣプレート２１が省略され、その代わりに、液晶表示パネル１０内にネガティブＣ層１５が設けられていてもよい。ネガティブＣ層１５は、例えば、図４に示したように、ネガティブＣ層１５は、対向基板１２の下面に形成されている。ネガティブＣ層１５は、厚み方向に複屈折発現性の大きい光学補償層であり、厚み方向に複屈折を示し面内方向に複屈折を示さない光学機能層である。これを式で表すと以下のようになる。
ｎｘ＝ｎｙ＞ｎｚ
【００４５】
ここで、ｎｘはネガティブＣ層１５の面内の一の方向（ｘ軸方向）の屈折率である。ｎｙはネガティブＣ層１５の面内の他の方向（ｘ軸と直交するｙ軸方向）の屈折率である。ｎｚはネガティブＣ層１５の法線方向（ｚ軸方向）の屈折率である。
【００４６】
ネガティブＣ層１５は、当該ネガティブＣ層１５のリタデーションによって、液晶層１３によって生じるリタデーションを光学的に補償するようになっている。ここで、ネガティブＣ層１５のリタデーションＲｔｈは、波長５５０ｎｍおよびその近傍において、例えば、１００ｎｍ前後の値となっていることが好ましい。
【００４７】
ネガティブＣ層１５は、例えば、キャスト法、ダイコート法、スプレーコート法、スピンコート法、ロールコート法及びエアナイフコート法などによって形成可能である。
【００４８】
本変形例では、液晶表示パネル１０内にネガティブＣ層１５が設けられている。これにより、ネガティブＣ層１５による位相補償作用により、液晶層１３のモードに拘わらず、黒表示の際の光漏れが小さくなる。その結果、高コントラストを得ることができる。
【００４９】
また、本変形例においても、ネガティブＣ層１５による位相補償が有効に働くためには、液晶表示パネル１０が、黒表示時に、液晶層１３の液晶分子の長軸がＴＦＴ基板１１の法線と平行またはほぼ平行な方向を向くように構成されていればよい。つまり、ネガティブＣ層１５による位相補償を、様々なモードの液晶セルで有効に作用させることができる。従って、様々なモードで高コントラストを得ることができる。
【００５０】
（第３変形例）
上記第２変形例において、ネガティブＣ層１５が省略され、その代わりに、液晶表示パネル１０内に２軸性λ／４層１６が設けられていてもよい。２軸性λ／４層１６は、Ｎｚ係数が１よりも大きなλ／４層であり、例えば、２軸延伸λ／４層である。２軸延伸λ／４層は、例えば、位相差のない樹脂フィルムを１軸方向に延伸してλ／４板を作成したのち、それを先とは異なる方向に延伸することにより作成可能である。２軸性λ／４層１６は、ネガティブＣ層１５と同様の光学補償作用を有している。
【００５１】
本変形例では、液晶表示パネル１０内に２軸性λ／４層１６が配置されている。これにより、２軸性λ／４層１６による位相補償作用により、黒表示の際の光漏れが小さくなる。その結果、高コントラストを得ることができる。
【００５２】
また、本変形例においても、２軸性λ／４層１６による位相補償が有効に働くためには、液晶表示パネル１０が、黒表示時に、液晶層１３の液晶分子の長軸がＴＦＴ基板１１の法線と平行またはほぼ平行な方向を向くように構成されていればよい。つまり、２軸性λ／４層１６による位相補償を、様々なモードの液晶セルで有効に作用させることができる。従って、様々なモードで高コントラストを得ることができる。
【００５３】
（第４変形例）
上記実施の形態およびその変形例において、光拡散板２２が等方性前方散乱板となっている場合には、光拡散板２２が省略されていてもよい。ただし、その場合には、ネガティブＣプレート２１、２軸性λ／４板２６、ネガティブＣ層１５または２軸性λ／４層１６と、偏光板２５との間に、等方性前方散乱機能を有する粘着層が設けられていることが好ましい。上記の粘着層は、光学部材同士を貼り合わせる目的で用いられるものであり、例えば、ヘイズ糊で構成されている。従って、例えば、図１に記載の表示装置１の例では、等方性前方散乱機能を有する粘着層が、ネガティブＣプレート２１とλ／４板２３との間や、λ／４板２３とλ／２板２４との間、またはλ／２板２４と偏光板２５との間に設けられている。このように、光拡散板２２の代わりに粘着層を用いた場合には、光拡散板２２の分だけ、表示装置１を薄くすることができる。
【００５４】
＜３．適用例＞
次に、上記実施の形態およびその変形例に係る表示装置１の一適用例について説明する。図６は、本適用例に係る電子機器１００の概略構成の一例を表す斜視図である。電子機器１００は、携帯電話機であり、例えば、図６に示したように、本体部１１１と、本体部１１１に対して開閉可能に設けられた表示体部１１２とを備えている。本体部１１１は、操作ボタン１１５と、送話部１１６を有している。表示体部１１２は、表示装置１１３と、受話部１１７とを有している。表示装置１１３は、電話通信に関する各種表示を、表示装置１１３の表示画面１１４に表示するようになっている。電子機器１００は、表示装置１１３の動作を制御するための制御部（図示せず）を備えている。この制御部は、電子機器１００全体の制御を司る制御部の一部として、またはその制御部とは別に、本体部１１１または表示体部１１２の内部に設けられている。
【００５５】
表示装置１１３は、上記実施の形態およびその変形例に係る表示装置１と同一の構成を備えている。これにより、表示装置１１３において、高コントラストを得ることができる。
【００５６】
なお、上記実施の形態およびその変形例に係る表示装置１を適用可能な電子機器としては、以上に説明した携帯電話機等の他にも、パーソナルコンピュータ、液晶テレビ、ビューファインダ型またはモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【００５７】
以上、実施の形態およびその変形例ならびに適用例を挙げて本発明を説明したが、本発明は上記実施の形態等に限定されるものではなく、種々変形が可能である。例えば、上記実施の形態等では、本発明を反射型の液晶表示パネル１０に適用した場合が例示されていたが、本発明を半透過型の液晶表示パネルに適用することももちろん可能である。例えば、本発明を、反射型の液晶表示パネル１０と同様の構成を反射部として備え、さらに反射部とともに透過部を兼ね備えた半透過型の液晶表示パネルに適用することが可能である。
【符号の説明】
【００５８】
１…表示装置、１０…液晶表示パネル、１１…ＴＦＴ基板、１２…対向基板、１３…液晶層、１４…反射層、１５…ネガティブＣ層、１６…２軸性λ／４層、２０…光学積層体、２１…ネガティブＣプレート、２２…光拡散板、２２Ａ…基材、２２Ｂ…フィラー、２２Ｃ…第１領域、２２Ｄ…第２領域、２３…λ／４板、２４…λ／２板、２５…偏光板、２６…２軸性λ／４板、３０…駆動回路、１００…電子機器、１１１…本体部、１１２…表示体部、１１３…表示装置、１１４…表示画面、１１５…操作ボタン、１１６…送話部、１１７…受話部、Ｌ１…外光、Ｌ２，Ｌ３…光。
【図１】
0005893256.tif 000002
【図２】
0005893256.tif 000003
【図３】
0005893256.tif 000004
【図４】
0005893256.tif 000005
【図５】
0005893256.tif 000006
【図６】
0005893256.tif 000007